(57)【特許請求の範囲】
【請求項１】
耕耘爪軸１２に対して直角方向の同一平面に、複数本の耕耘爪１３を付設して耕耘爪列を構成し、該耕耘爪列を複数列配置し、それぞれの耕耘爪列の各耕耘爪１３を左または右に湾曲させ、互いに向かい合う耕耘爪１３の先端の間隔の間に、切断刃１７を固設し、
該切断刃１７は上部を直線状に構成して、下部は後方に湾曲させて、側面視において切断刃１７の下部が耕耘爪１３の回転軌跡Ａの前部でオーバーラップすべく配置し、
該耕耘爪軸１２上の両側の耕耘爪列の幅Ｌ１と、中央側の耕耘爪列の幅Ｌ２の合計は、ロータリ耕耘装置の耕耘幅の７０〜９０パーセントとし、
耕耘爪列と耕耘爪列の間の耕耘爪１３の非作用部分は、耕耘爪１３の反転力が及んで耕耘され、更に前記切断刃１７で土塊を切断しながら耕耘することを特徴とするロータリ耕耘装置による耕耘方法。
【発明の詳細な説明】
【０００１】
【産業上の利用分野】
本発明は、ロータリ耕耘装置の耕耘作業速度を速くできる耕耘方法に関する。
【０００２】
【従来の技術】
従来からトラクターの後部に付設するロータリ耕耘装置は、耕耘爪軸をチェーンケースとサイドサポートの下部の間に横架して、該耕耘爪軸の外周に多数の耕耘爪を植設して、該耕耘爪軸を回転させて耕耘作業を行う。
この耕耘爪軸に耕耘爪を固定する構成としては、耕耘爪軸の外周上において、螺旋状に爪ホルダーを所定間隔を開けて突設し、該爪ホルダーに耕耘爪を右向きまたは左向きに湾曲方向を変えて装着し、非耕耘部分ができないように、耕耘爪と耕耘爪の間の幅方向の間隔をできるだけ小さくして装着しており、ロータリ耕耘装置の耕耘幅内では、耕耘爪による非耕耘領域がないようにしていた。
【０００３】
【発明が解決しようとする課題】
このような従来のロータリ耕耘装置では、非耕耘部分ができないようにするために、耕耘爪軸上には多数の耕耘爪を装着しなければならず、重量が増加するばかりでなく、耕耘爪が多いので、土壌に切り込む時の耕耘抵抗も大きくなり、ロータリを回転させるための駆動力も大きくする必要があった。
また、作業を早く終わらせるために、耕耘作業時の走行速度を上げれば、耕耘ピッチが粗くなり土塊が大きくなり過ぎることがあり、これを防止するためにロータリの回転速度を上げると、負荷が大きくなり、耕耘速度を速めるには限界があったのである。
そこで、本発明は、ロータリ耕耘装置の耕耘爪の取付構成を改良して、耕耘爪軸の回転数は従来のままでも、走行速度を上げられ良好な耕耘作業ができる耕耘方法を提供しようとするのである。
【０００４】
【課題を解決するための手段】
上記課題を解決するために本発明は、次の如く構成したものである。
耕耘爪軸１２に対して直角方向の同一平面に、複数本の耕耘爪１３を付設して耕耘爪列を構成し、該耕耘爪列を複数列配置し、それぞれの耕耘爪列の各耕耘爪１３を左または右に湾曲させ、互いに向かい合う耕耘爪１３の先端の間隔の間に、切断刃１７を固設し、該切断刃１７は上部を直線状に構成して、下部は後方に湾曲させて、側面視において切断刃１７の下部が耕耘爪１３の回転軌跡Ａの前部でオーバーラップすべく配置し、該耕耘爪軸１２上の両側の耕耘爪列の幅Ｌ１と、中央側の耕耘爪列の幅Ｌ２の合計は、ロータリ耕耘装置の耕耘幅の７０〜９０パーセントとし、耕耘爪列と耕耘爪列の間の耕耘爪１３の非作用部分は、耕耘爪１３の反転力が及んで耕耘され、更に前記切断刃１７で土塊を切断しながら耕耘するものである。
【０００５】
【作用】
このような手段を用いることによって、次のような作用を行うものである。
同じ耕耘幅のロータリ耕耘装置であっても、耕耘爪の取付本数が少なくなって、重量が減少し、しかも、耕耘爪が直接作用する幅も狭くなり、耕耘抵抗が小さくなって従来よりも高速で耕耘できることになる。
そして、耕耘爪の湾曲方向が同一平面で左右方向にあり、また、直接切り込まない土壌の部分であっても耕耘爪による反転した時の力が伝わり、反転されて、土壌は均平に耕耘される。
【０００６】
【実施例】
本発明の解決すべき課題及び構成は以上の如くであり、次に添付の図面に示した本発明の一実施例を説明する。
図１はロータリ耕耘装置の側面図、  図２は同じく平面図一部断面図、  図３は耕耘爪軸の展開図、  図４は耕耘爪軸に装着する耕耘爪列の幅を変更した実施例の平面図一部断面図、  図５は一列に６本耕耘爪を配設するロータリの側面図、  図６は一列に４本耕耘爪を配設するロータリの後面図、  図７は同じく側面図である。
【０００７】
トラクタに装着するサイドドライブ型のロータリ耕耘装置の実施例について、図１、図２より説明する。
ロータリ耕耘装置は前後方向中央にギアボックス１を配置して、該ギアボックス１より前方に入力軸２を突出し、該入力軸２にユニバーサルジョイントやドライブ軸を介してトラクタのＰＴＯ軸と連結して動力を伝えるようにしている。
前記ギアボックス１側面より両側方にビーム３・３を突出し、該ギアボックス１両側に支持プレート４・４を固設し、該支持プレート４・４の前端にはロアリンクを枢結するピンを突設し、後端にはデプスフレーム５の前端を枢支し、更に、支持プレート４・４の前側部とマスト７の間に支持ステー６を介装し、該マスト７の前端にトップリンクの枢結部を構成している。
【０００８】
前記ビーム３・３の外側端に、チェーンケース１０の上部とサイドサポートの上部が固設され、該チェーンケース１０の下部とサイドサポートの下部の間に耕耘爪軸１２が横架され、該耕耘爪軸１２上にナタ爪よりなる多数の耕耘爪１３・１３・・・が植設されて、該耕耘爪１３の回転軌跡Ａ上方が耕耘カバー２０によって覆われ、両側はサイドカバー２１によって覆われ、耕耘カバー２０後端にはリアカバー２２が連結されている。
【０００９】
該リアカバー２２は前板２２ａと後板２２ｂがリンク２２ｃによって連結されて、該前板２２ａと後板２２ｂの間の下面にはゴム板３０が固定されて、耕耘時に土の付着を防止して後方へ砕土された土が流れるようにしている。
そして、後板２２ｂの後部には整地板３１が枢支され、該整地板３１の後部にはレーキ３２が枢支されて、該レーキ３２と整地板３１の間にはダンパー３３が介装されて、レーキ３２を下方へ付勢し、整地板３１とレーキ３２によって均平に整地している。
【００１０】
そして、前記耕耘爪軸１２を駆動するための構成は、前記入力軸２よりギアボックス１内のベベルギア２３・２４からビーム３内の伝動軸２５に伝えられて、チェーンケース１０内の伝動軸２５上のスプロケット２６よりチェーン２８を介してスプロケット２７に伝えられて耕耘爪軸１２が駆動され、耕耘爪１３・１３・・・が回転されることによって耕耘ができるようにしている。
【００１１】
そして、前記ビーム３・３中途部より前方にプレート１４・１４・・・が固設されて、該プレート１４・１４・・・前端に支持杆１５が横架され、該支持杆１５に取付プレート１６・１６・・・が位置調節可能に外嵌して固定され、該取付プレート１６に切断刃１７の上部が高さ調節可能に固定されている。
なお、本実施例では切断刃１７を左右対称に４本装着しているが、切断刃１７の取付本数及び位置は限定するものではない。
但し、耕耘爪１３と耕耘爪１３の全ての間に切断刃１７を設けることはなく、切断刃１７を偏って配設することもない。そして、該切断刃１７は上部を直線状に構成して、下部は後方に湾曲させて、側面視において切断刃１７の下部が耕耘爪１３の回転軌跡Ａの前部でオーバーラップするように配置している。
【００１２】
また、正面視において、切断刃１７は所定の耕耘爪１３と耕耘爪１３の間に配置して、耕耘爪軸１２を回転させた時に切断刃１７と耕耘爪１３が干渉しないように配置している。
本実施例では、図２、図５に示すように耕耘爪軸１２の一列（一平面）に耕耘爪１３が６本の場合には、両端の列とその内側の列との間と、その切断刃１７から２列おいた内側に設けている。また、図６、図７に示すように、一列に耕耘爪１３が４本の場合には、両端の列とその内側の列との間と、その切断刃１７から３列おいた内側に設けている。
なお、両側から２番目と３番目の間に切断刃１７を設けて２列又は３列おいて切断刃１７を設けることもできる。
【００１３】
この切断刃１７は耕耘爪１３と耕耘爪１３の間に設けられることによって、耕耘作業時に、耕耘爪１３と耕耘爪１３の間の土塊を切断刃１７で砕き、耕耘時の走行速度が上がるとロータリ耕耘装置が浮き上がり易くなるが、この切断刃１７によって上昇を抑える。
そして、切断刃１７の後面と耕耘カバー２０の間に仕切板１９が配設され、該仕切板１９は切断刃１７の背面に固設されて、仕切板１９上部と耕耘カバー２０内面（裏面）の間隔は極小さくして、仕切板１９を耕耘カバー２０に接近させて、藁や雑草等が入り込み絡み付かないようにしている。
【００１４】
また、前記耕耘爪１３の取付構成は、耕耘爪軸１２に対して直角方向の同一平面に複数本（本実施例では、４本または６本）設けて、高速走行させた場合でも、ロータリの回転速度を上げなくてもよいロータリ耕耘装置を構成している。
つまり、耕耘爪軸１２上の両端にはホルダー１２ａ・１２ａ・１２ａが一列に１２０°ごとに半径方向に突設されて、端用の耕耘爪１３’が装着される。そして、この両端の列の間に、等間隔で複数列のホルダー１２ａ・１２ｂ・・・が突設されて、それぞれ耕耘爪１３・１３・・・が取り付けられる。
【００１５】
耕耘爪１３はナタ爪よりなり、切り込んでから土を反転させるために先端部は右又は左に湾曲させており、この湾曲方向は左右交互に向くように、一列のホルダー１２ａ・１２ｂ・・・に装着されている。
しかも、同列上の隣接するホルダー１２ａとホルダー１２ｂは交互に配設されて、それぞれのホルダーの取付角度は等間隔となっていない。つまり、隣接するホルダー１２ａとホルダー１２ｂの取付角度差は大小交互に設定されている。
そして、ホルダー１２ａ・１２ｂ・・・は図３に示すように、列ごとに少しずつ取付角度が異なるようにして、位相差を設けており、ホルダーの中心線は側面視で一致しないように放射状に設定して、同時に耕耘爪１３が圃場面に入り込むことを避けて、力の分散を図っている。
【００１６】
そして、耕耘爪軸１２上の湾曲させた互いに向かい合う耕耘爪１３と耕耘爪１３の先端の間隔は従来と違って広く開けており、両側と中央側の耕耘爪列の耕耘爪列の幅Ｌ１、Ｌ２の合計は、ロータリ耕耘装置の耕耘幅の７０〜９０パーセントで耕耘するようにしており、好ましくは８０パーセント程度に設定しており、耕耘爪列と耕耘爪列の間の非作用部分は直接耕耘爪に切り込まれることはないが、反転する力はその部分にまで及ぶので、非耕耘部分が生じることはなく耕耘され、土塊は適宜配設した前記切断刃１７で土塊を切断しながら耕耘される。
【００１７】
また、耕耘爪列の幅方向の間隔は図２に示すように、等間隔に配設することができ、図４に示すように、切断刃１７を配置する耕耘爪列と耕耘爪列の間隔Ｌ３は更に広くし、切断刃１７を配置しない耕耘爪列と耕耘爪列の間隔Ｌ４はＬ３よりも狭く配設するように構成することもできる。
【００１８】
【発明の効果】
本発明は以上のように構成したので、次のような効果を奏する。
即ち、耕耘爪列と耕耘爪列の間隔が広くなり、しかも耕耘爪の数が少なくなるので、耕耘抵抗が減少して、高速で耕耘することが可能となる。
そして、間隔の広い部分に切断刃が配置されるので、土塊は砕かれて砕土性を低下させることがなく、また、直接耕耘爪が当たらない部分であっても、耕耘爪の反転力が及び耕耘はされる。
【００１９】
耕耘爪の数を減少できるので、ロータリ耕耘装置の軽量化が図れ、駆動力も小さくて済み、負荷に対する余裕ができて更に高速で耕耘することも可能となり、しかも、耕耘爪を減少できるので、枠体の強度も減少できてコスト低減化も図れる。
【図面の簡単な説明】
【図１】  ロータリ耕耘装置の側面図である。
【図２】  同じく平面図一部断面図である。
【図３】  耕耘爪軸の展開図である。
【図４】  耕耘爪軸に装着する耕耘爪列の幅を変更した実施例の平面図一部断面図である。
【図５】  一列に６本耕耘爪を配設するロータリの側面図である。
【図６】  一列に４本耕耘爪を配設するロータリの後面図である。
【図７】  同じく側面図である。
【符号の説明】
１２  耕耘爪軸
１３  耕耘爪
１７  切断刃
【図１】
0003647908.tif 000002
【図２】
0003647908.tif 000003
【図３】
0003647908.tif 000004
【図４】
0003647908.tif 000005
【図５】
0003647908.tif 000006
【図６】
0003647908.tif 000007
【図７】
0003647908.tif 000008